(57)【要約】【課題】摺動部材との摺動により回転体に発生する帯電を抑制すると共に、当該帯電が原因となる画像乱れを抑制する定着装置を提供すること。【解決手段】例えば、加熱ロール３０及び加圧ベルト４０が対向して設けられ、加圧ベルト４０がその周内部に配置された押圧パッド５０（押圧部材）により加熱ロール３０に押圧された定着装置２８において、加圧ベルト４０（第２回転体）の内周面と押圧パッド５０（押圧部材）との間に、導電性摺動シート６０（摺動部材）を介在させると共に、加圧ベルト４０（第２回転体）の内周面と導電性摺動シート６０（摺動部材）との間に導電性潤滑剤を介在させる。【選択図】図２
2010078825.tif 000002
【特許請求の範囲】
【請求項１】
第１回転部材と、
第１回転体に接して配設される第２回転体と、
前記第２回転体の内面に配設され、前記第２回転体の内面から第２回転体を第１回転体へ押圧する押圧部材と、
前記第２回転体の内面と前記押圧部材との間に介在する導電性摺動部材と、
前記第２回転体の内面と前記導電性摺動部材との間に介在する導電性潤滑剤と、
前記第１回転体及び前記第２回転体の少なくとも一方を加熱する加熱源と、
を備えることを特徴とする定着装置。
【請求項２】
前記導電性潤滑剤が、潤滑油と導電粉とを含んで構成されることを特徴とする請求項１に記載の定着装置。
【請求項３】
前記導電性潤滑油が、パーフルオロポリエーテルオイルであることを特徴とする請求項２に記載の定着装置。
【請求項４】
前記導電粉が、グラファイト系導電粉であることを特徴とする請求項２に記載の定着装置。
【請求項５】
前記導電粉が、潤滑油に対して２０重量％以上８０重量％以下で含むことを特徴する請求項２に記載の定着装置。
【請求項６】
前記導電性摺動部材が、耐熱性樹脂と導電粉とを含んで構成されることを特徴とする請求項１に記載の定着装置。
【請求項７】
潜像保持体と、
潜像保持体表面に潜像を形成する潜像形成手段と、
電子写真用現像剤を用いて前記潜像をトナー画像に現像する現像手段と、
記録用紙に現像された前記トナー画像を転写する転写手段と、
前記記録用紙上の前記トナー画像を定着する定着手段と、
を備え、
前記定着手段が、請求項１乃至６のいずれか１項に記載の定着装置である画像形成装置。
【発明の詳細な説明】
【技術分野】
【０００１】
本発明は、定着装置、及び画像形成装置に関するものである。
【背景技術】
【０００２】
従来、定着装置としては、例えば、加熱源を有する回転可能な加熱定着ロールと、この加熱定着ロールに接触し且つ共に回転移動する無端状の加圧ベルトと、この加圧ベルトの内側に配設されて、加圧ベルトを加熱定着ロールに向けて押圧して当該加圧ベルトと加熱定着ロールとの間に接触部を形成する押圧部材とを備え、この接触部に記録媒体を通過させることで、当該記録媒体上のトナー像を加熱加圧定着するように構成したものが知られている。
【０００３】
この如く定着装置では、加圧ベルトと押圧部材との摩擦係数μｃを低減するため、従来よりフッ素樹脂を塗布・焼成したガラス繊維シートよりなる被覆層（低摩擦シート）や、親油化剤処理しているフッ素樹脂を用いる若しくは親油化剤と併用している低摩擦シートを押圧部材上に被覆し、かつその低摩擦シートとフィルム管状体との間に潤滑剤として種種の変性シリコーンオイルを介在させることが提案されている（例えば、特許文献１乃至５参照）
【特許文献１】特願平１０−２１３９８４号公報
【特許文献２】特願２００１−５６６１５公報
【特許文献３】特願２００１−２４９５５８公報
【特許文献４】特願２００１−６６９１７公報
【特許文献５】特願２００１−３４０９３公報
【発明の開示】
【発明が解決しようとする課題】
【０００４】
本発明の課題は、摺動部材との摺動により回転体に発生する帯電を抑制する定着装置を提供することである。
【課題を解決するための手段】
【０００５】
上記課題は、以下の手段により解決される。即ち、
請求項１に係る発明は、
第１回転部材と、
第１回転体に接して配設される第２回転体と、
前記第２回転体の内面に配設され、前記第２回転体の内面から第２回転体を第１回転体へ押圧する押圧部材と、
前記第２回転体の内面と前記押圧部材との間に介在する導電性摺動部材と、
前記第２回転体の内面と前記導電性摺動部材との間に介在する導電性潤滑剤と、
前記第１回転体及び前記第２回転体の少なくとも一方を加熱する加熱源と、
を備えることを特徴とする定着装置。
【０００６】
請求項２に係る発明は、
前記導電性潤滑剤が、潤滑油と導電粉とを含んで構成されることを特徴とする請求項１に記載の定着装置。
【０００７】
請求項３に係る発明は、
前記導電性潤滑油が、パーフルオロポリエーテルオイルであることを特徴とする請求項２に記載の定着装置。
【０００８】
請求項４に係る発明は、
前記導電粉が、グラファイト系導電粉であることを特徴とする請求項２に記載の定着装置。
【０００９】
請求項５に係る発明は、
前記導電粉が、潤滑油に対して２０重量％以上８０重量％以下で含むことを特徴する請求項２に記載の定着装置。
【００１０】
請求項６に係る発明は、
前記導電性摺動部材が、耐熱性樹脂と導電粉とを含んで構成されることを特徴とする請求項１に記載の定着装置。
【００１１】
請求項７に係る発明は、
潜像保持体と、
潜像保持体表面に潜像を形成する潜像形成手段と、
電子写真用現像剤を用いて前記潜像をトナー画像に現像する現像手段と、
記録用紙に現像された前記トナー画像を転写する転写手段と、
前記記録用紙上の前記トナー画像を定着する定着手段と、
を備え、
前記定着手段が、請求項１乃至６のいずれか１項に記載の定着装置である画像形成装置。
【発明の効果】
【００１２】
請求項１に係る発明によれば、本構成を有さない場合に比べて、摺動部材との摺動により回転体に発生する帯電が抑制される。
請求項２に係る発明によれば、他種に比べ、熱による潤滑剤の劣化が抑制される。
請求項３に係る発明によれば、他種に比べ、熱による潤滑剤の劣化が抑制される。
請求項４に係る発明によれば、他種に比べ、回転体と摺動部材との摩擦抵抗が低減される。
請求項５に係る発明によれば、導電粉の含有量を考慮しない場合に比べ、回転体と摺動部材との摩擦抵抗が低減されると共に、回転体と摺動部材との間に発生する帯電が抑制される。
請求項６に係る発明によれば、他種に比べ、熱による摺動部材の劣化が抑制される。
請求項７に係る発明によれば、本構成を有さない場合に比べて、画像乱れが抑制された画像が得られる。
【発明を実施するための最良の形態】
【００１３】
以下、本発明について図面を参照しつつ詳細に説明する。なお、実質的に同一の機能を有する部材には全図面通して同じ符合を付与し、重複する説明は省略する場合がある。
【００１４】
図１は、実施形態に係る画像形成装置を示す概略構成図である。図２は、第１実施形態に係る定着装置を示す概略構成図である。
【００１５】
実施形態に係る画像形成装置１００は、図１に示すように、色分解された画像データに基づくイエロー（Ｙ）、マゼンタ（Ｍ）、シアン（Ｃ）、ブラック（Ｋ）の各色の画像を出力する電子写真方式の第１乃至第４のプロセスカートリッジ（画像形成ステーション）１０Ｙ、１０Ｍ、１０Ｃ、１０Ｋ（画像形成手段）を備えている。これらのプロセスカートリッジ１０Ｙ、１０Ｍ、１０Ｃ、１０Ｋは、中間転写ベルト２０の外周面に沿って互いに所定距離離間して並設されている。なお、これらプロセスカートリッジ１０Ｙ、１０Ｍ、１０Ｃ、１０Ｋは、画像形成装置本体に対して脱着可能となっている。
【００１６】
各プロセスカートリッジ１０Ｙ、１０Ｍ、１０Ｃ、１０Ｋの上方（図中）には、中間転写体としての中間転写ベルト２０がその外周面を各プロセスカートリッジに対して対向するように延設されている。中間転写ベルト２０は、互いに離間して配置された駆動ローラ２２及び中間転写ベルト２０内面に接する支持ローラ２４に巻回されて張力を付与されつつ配設され、第１プロセスカートリッジ１０Ｙから第４プロセスカートリッジ１０Ｋに向う方向に無端走行されるようになっている。
【００１７】
尚、支持ローラ２４は、不図示のバネ等の弾性部材により駆動ローラ２２から離れる方向に押し付けされており、両者の間に巻回された中間転写ベルト２０に所定のテンションが与えられている。また、中間転写ベルト２０の外周面には、駆動ローラ２２と対向して中間転写体クリーニング装置２０ａが備えられている。
【００１８】
第１乃至第４プロセスカートリッジ１０Ｙ、１０Ｍ、１０Ｃ、１０Ｋは、略同一の構成を有しているため、ここでは中間転写ベルト走行方向上流側に配設されたイエロー画像を形成する第１プロセスカートリッジ１０Ｙについて代表して説明する。尚、第１プロセスカートリッジ１０Ｙと同一の部分に、イエロー（Ｙ）の代わりに、マゼンタ（Ｍ）、シアン（Ｃ）、ブラック（Ｋ）を付した同一参照符号を付すことにより、第２乃至第４プロセスカートリッジ１０Ｍ、１０Ｃ、１０Ｋの説明を省略する。
【００１９】
第１プロセスカートリッジ１０Ｙは、像保持体として作用する感光体１Ｙを有している。感光体１Ｙの周囲には、感光体１Ｙの表面を所定の電位に帯電させる帯電ローラ（帯電手段）２Ｙ、静電潜像に帯電したトナー（現像剤）を供給して静電潜像を現像する現像装置４Ｙ、及び１次転写後に感光体１Ｙの表面に残存するトナーを除去する感光体クリーニング装置６Ｙが順に配設されている。これらはハウジング１１Ｙ（筐体）内に一体的に構成されている。第１プロセスカートリッジ１０Ｍ乃至１０Ｙも同様に、各部材がハウジング１１Ｍ乃至１１Ｙ（筐体）内に一体的に構成されている。
【００２０】
そして、第１プロセスカートリッジ１０Ｙと共に、現像したトナー像（現像剤像）を中間転写ベルト２０上に転写する１次転写ローラ５Ｙ（１次転写手段）、及び帯電された表面を色分解された画像信号に基づくレーザ光線３Ｙよって露光して静電潜像を形成する露光装置３が配置され、画像形成部を構成している。
【００２１】
尚、１次転写ローラ５Ｙは、中間転写ベルト２０の内側に配置され、感光体１Ｙに対向した位置に設けられている。更に、各１次転写ローラ５Ｙ、５Ｍ、５Ｃ、５Ｋには、１次転写バイアスを印加するバイアス電源（図示せず）がそれぞれ接続されている。各バイアス電源は、図示しない制御部（制御手段）による制御によって、各１次転写ローラに印加する転写バイアスを可変する。
【００２２】
定着装置２８は、図２に示すように、加熱ロール３０（第１回転体）及び加圧ベルト４０（第２回転体）が備えられており、加熱ロール３０及び加圧ベルト４０が対向して設けられている。加圧ベルト４０は、その周内部に配置された押圧パッド５０（押圧部材）により加熱ロール３０に押圧され、圧接して接触部が形成されつつ、ベルト走行ガイド５２に沿ってガイドされ、加熱ロール３０からの駆動力を受けることで従動する。なお、図中、Ｔはトナー像を示す。
【００２３】
加熱ロール３０は、例えば、内部にハロゲンランプ等の加熱源３１を有する金属製の中空芯金属コア３０ａに弾性体層３０ｂ及び離型層３０ｃが順次形成されて構成されている。
【００２４】
これらの金属コア３０ａは、例えば、アルミニウムやステンレス等の金属製の円筒状体で構成される。弾性体層３０ｂは、例えば、ＨＴＶシリコーンゴムやフッ素ゴム等（ＪＩＳ−Ａのゴム硬度４５度程度、ゴム硬度は、Ｔｅｃｌｏｃｋ社製のスプリングタイプのＡ型硬度計により、ＪＩＳ  Ｋ６３０１に準拠して、荷重１，０００ｇｆを付加して計測したもの）を２ｍｍ以上５ｍｍ以下程度の厚さで構成される。離型層３０ｃは、例えば、フッ素ゴムやシリコーンゴム、フッ素樹脂等が２０μｍ以上５０μｍ以下の厚さで構成される。無論、これらに限られず、従来公知の材料により構成してもよい。
【００２５】
加熱ロール３０は、定着ロールは図示しない駆動源によって所定の速度、例えば２６０ｍｍ／ｓｅｃの周速で回転駆動される。加熱ロール３０の外径は一般に例えば２５ｍｍ以上８０ｍｍ以下程度である。
【００２６】
加熱ロール３０の表面温度は、表面に接触する不図示の温度センサーで検出され、表面温度が例えば１７５℃となるように、不図示の制御回路によって制御される。
【００２７】
加圧ベルト４０は、例えば、ポリイミド樹脂等の耐熱性樹脂を含んで構成される樹脂基材上に離型層を形成されて構成されている。樹脂基材及び離型層は、従来公知の材料により構成される。
【００２８】
押圧パッド５０（押圧部材）は、記録媒体Ｐの進行方向に沿って、異なる硬度の２つの押圧部５１ａ、５１ｂを有する。押圧パッド５０における記録媒体Ｐ突入側の押圧部５１ａをゴム状弾性部材から構成させ、記録媒体Ｐ排出側の押圧部５１ｂを金属等の硬い圧力付与部材から構成させ、接触領域の圧力を記録媒体Ｐ突入側より記録媒体Ｐ排出側が高くさせている。押圧部５１ａ、５１ｂは、ホルダ５１ｃにより支持され、摺動シート６０（導電性摺動部材）を介して加圧ベルト４０内周面から加熱ロール３０を押圧している。従来は、加圧ベルト等の回転体の回転が重ねられる毎に摺動シート等の摺動部材との摩擦により、回転体への帯電が発生し、当該帯電が原因による画像乱れが発生するが、本実施の形態では、後述する潤滑剤を使用することで画像乱れを防止する。
【００２９】
そして、摺動シート６０と加圧ベルト４０の内周面との間には、潤滑剤６２を介在させている。なお、潤滑剤６２は、例えば、ベルト走行ガイド５２の一部に設けられた潤滑剤供給部材６４により加圧ベルト４０の内周面に供給され、摺動シート６０と加圧ベルト４０の内周面との間に介在される。
【００３０】
摺動シート６０（導電性摺動部材）は、導電性摺動シート６０が適用される。ここで、導電性摺動シート６０の電気抵抗は、表面抵抗率で１０8Ω／□以下が望ましく、１０5Ω／□以下がより望ましい。
【００３１】
導電性摺動シート６０は、導電性樹脂で構成して導電性が付与されたシートを適用してもよいが、耐熱性の点から、耐熱性樹脂と導電粉と含んで構成して導電性が付与されたシートを適用することがよい。また、導電性摺動シート６０には、その他添加剤が添加されていてもよい。
【００３２】
耐熱性樹脂としては、フッ素樹脂、ポリイミド樹脂、ポリアミド樹脂、ポリアミドイミド樹脂、ポリエーテルイミド樹脂、ポリエーテルサルサホン樹脂、ポリエーテルケトン樹脂、ビスマレイミドトリアジン樹脂、アラミド樹脂、ポリフェニレン樹脂、ポリフェニレンスルフィド樹脂等が挙げられるが、耐熱性及び摺動性の点からフッ素樹脂が望ましい。
【００３３】
フッ素樹脂としては、ポリテトラフルオロエチレン（ＰＴＦＥ）、テトラフルオロエチレンとパーフルオロメチルビニルエーテルとの共重合体（ＭＦＡ）、テトラフルオロエチレンとパーフルオロエチルビニルエーテルとの共重合体（ＥＦＡ）、テトラフルオロエチレンとパーフルオロエチルプロピルビニルエーテルとの共重合体（ＰＦＡ）、テトラフルオロエチレン・ヘキサフルオロプロピレン共重合体（ＦＥＰ）、ポリエチレン・テトラフルオロエチレン（ＥＴＦＥ）、ポリフッ化ビニリデン（ＰＶＤＦ）、ポリクロロ三フッ化エチレン（ＰＣＴＦＥ）、フッ化ビニル（ＰＶＦ）が望ましく、特に、ＰＴＦＥ、ＭＦＡ、ＥＦＡ、又はＰＦＡが望ましい。
【００３４】
フッ素樹脂は、電子線架橋が施されたフッ素樹脂も好適に挙げられ、具体的には、例えば、電子線架橋が施されたポリテトラフルオロエチレン（ＰＴＦＥ）が好適に挙げられる。なお、非架橋のフッ素樹脂（例えば非架橋ＰＴＦＥ）に、電子線架橋が施されたフッ素樹脂（例えば、電子線架橋ＰＴＦＥ）を配合して用いてもよい。
【００３５】
なお、耐熱性樹脂とは、装置の昇温温度（例えば定着温度）に達しても、溶けたり分解したりしない樹脂である。
【００３６】
導電粉（導電フィラー）としては、例えば、炭素系物質（カーボンブラック、カーボンブラックを造粒したカーボンビーズ、カーボンファイバー、グラファイト等）、金属若しくは合金（銅、銀、アルミニウム若しくはこれらの合金等）、導電性金属酸化物（酸化錫、酸化インジウム、酸化アンチモン、ＳｎＯ2−Ｉｎ2Ｏ3複合酸化物等）、導電性ウィスカー（チタン酸カリウム等）等の粉末が挙げられる。
【００３７】
導電粉の平均粒径は、１μｍ以上５０μｍ以下が望ましく、より望ましくは５μｍ以上４０μｍ以下である。ここで、本平均粒径は、粒子群（粉末）にレーザ光を照射し、そこから発せられる回折、散乱光の強度分布パターンから平均粒径を測定する、レーザ回折散乱法を採用する
【００３８】
導電粉の電気抵抗は、体積抵抗率で１０8Ωｃｍ以下が望ましく、１０5Ωｃｍ以下がより望ましい。
【００３９】
導電粉の含有量は、耐熱性樹脂に対して２０重量％以上１００重量％以下であることが望ましく、より望ましくは２５重量％以上８０重量％以下であり、さらに望ましくは３０重量％以上６０重量％以下である。この含有量を上記範囲とすることで、導電粉の含有量を考慮しない場合に比べ、加圧ベルト４０（第２回転体）と摺動シート６０（摺動部材）との摩擦抵抗が低減されると共に、加圧ベルト４０と摺動シート６０との間に発生する帯電が抑制される。
【００４０】
導電性摺動シート６０は、多孔質化されたもの（多数の細孔を有するもの）であってもよい。これにより潤滑剤６２の保持能が向上される。多孔質化させた導電性摺動シート６０は、例えば、耐熱性樹脂を発泡させて多孔質化したもの、耐熱性樹脂を一軸あるいは二軸方向に延伸して多孔質化したもの、又は焼結成型等が挙げられる。
【００４１】
また、多孔質化された導電性摺動シート６０を採用する場合、押圧パッド５０側に潤滑剤６２の浸透を防止する潤滑剤透過防止部材（シート部材）を導電性摺動シート６０と押圧パッド５０との間に介在させることがよい。
一方、潤滑剤６２は、導電性潤滑剤６２が適用される。ここで、導電性潤滑剤６２の電気抵抗は、表面抵抗率で１０8Ω／□以下が望ましく、１０5Ω／□以下がより望ましい。
【００４２】
導電性潤滑剤６２は、導電性潤滑油で構成して導電性が付与された潤滑剤を適用してもよいが、耐熱性の点から、潤滑油（基油）と導電粉と含んで構成して導電性が付与された潤滑剤を適用することがよい。また、潤滑剤６２には、その他添加剤（例えば酸化防止剤等）が添加されていてもよい。
【００４３】
潤滑油（基油）としては、グリース、シリコーンオイル（例えば、ジメチルシリコーンオイル、有機金属塩添加ジメチルシリコーンオイル、ヒンダードアミン添加ジメチルシリコーンオイル、有機金属塩及びヒンダードアミン添加ジメチルシリコーンオイル、メチルフェニルシリコーンオイル、アミノ変性シリコーンオイル、有機金属塩添加アミノ変性シリコーンオイル、ヒンダードアミン添加アミノ変性シリコーンオイル、カルボキシ変性シリコーンオイル、シラノール変性シリコーンオイル、スルホン酸変性シリコーンオイル等）、フッ素オイル（例えば、フルオロシリコーンオイル、パーフルオロポリエーテルオイル等）が挙げられる。これら中でも、耐熱性及び摺動性の観点から、パーフルオロポリエーテルオイルが好適に挙げられる。
【００４４】
導電粉（導電フィラー）としては、例えば、炭素系物質（カーボンブラック、カーボンブラックを造粒したカーボンビーズ、カーボンファイバー、グラファイト等）、金属若しくは合金（銅、銀、アルミニウム若しくはこれらの合金等）、導電性金属酸化物（酸化錫、酸化インジウム、酸化アンチモン、ＳｎＯ2−Ｉｎ2Ｏ3複合酸化物等）、導電性ウィスカー（チタン酸カリウム等）等の粉末が挙げられる。
【００４５】
特に、導電粉としては、グラファイト系導電粉（例えば、人工グラファイト、天然グラファイトがあり、形状としては鱗片状グラファイト、薄片状グラファイト、層状グラファイト、またフッ化グラファイト等がある。）が好適に適用される。このグラファイト系導電粉は、劈開性を有することから、摺動される摺動シート６０と加圧ベルト４０内周面との間に介在されも劈開するので、部材間の摩擦抵抗が低減される。
【００４６】
導電粉の平均粒径は、１μｍ以上５０μｍ以下が望ましく、より望ましくは５μｍ以上４０μｍ以下である。ここで、本平均粒径は、粒子群（粉末）にレーザ光を照射し、そこから発せられる回折、散乱光の強度分布パターンから平均粒径を測定する、レーザ回折散乱法を採用する
【００４７】
導電粉の電気抵抗は、体積抵抗率で１０8Ωｃｍ以下が望ましく、１０5Ωｃｍ以下がより望ましい。
【００４８】
導電粉の含有量は、潤滑油に対して２０重量％以上８０重量％以下であることが望ましく、より望ましくは２５重量％以上７５重量％以下であり、さらに望ましくは３０重量％以上７０重量％以下である。この含有量を上記範囲とすることで、導電粉の含有量を考慮しない場合に比べ、加圧ベルト４０（回転体）と摺動シート６０（摺動部材）との摩擦抵抗が低減されると共に、加圧ベルト４０と摺動シート６０との間に発生する帯電が抑制される。
【００４９】
潤滑剤６２の供給量は、摺動シート表面を覆うことが可能な量であればよい。余剰分は使用に伴い、機能上問題のない箇所に移動する（供給フェルトやガイド表面）為である。      
【００５０】
ここで、表面抵抗率の測定方法は、次の通り行う。円形電極（例えば、三菱油化（株）製ハイレスターＩＰの「ＨＲプローブ」）を用い、ＪＩＳ Ｋ６９９１に従って測定する。表面抵抗率の測定方法を、図を用いて説明する。図３は、円形電極の一例を示す概略平面図（Ａ）及び概略断面図（Ｂ）である。図３に示す円形電極は、第一電圧印加電極Ａと板状絶縁体Ｂとを備える。第一電圧印加電極Ａは、円柱状電極部Ｃと、該円柱状電極部Ｃの外径よりも大きい内径を有し、且つ円柱状電極部Ｃを一定の間隔で囲む円筒状のリング状電極部Ｄとを備える。第一電圧印加電極Ａにおける円柱状電極部Ｃ及びリング状電極部Ｄと板状絶縁体Ｂとの間に測定対象物Ｔを挟持し、第一電圧印加電極Ａにおける円柱状電極部Ｃとリング状電極部Ｄとの間に電圧Ｖ（Ｖ）を印加したときに流れる電流Ｉ（Ａ）を測定し、下記式により、測定対象物Ｔの表面抵抗率ρｓ（Ω／□）を算出する。ここで、下記式中、ｄ（ｍｍ）は円柱状電極部Ｃの外径を示し、Ｄ（ｍｍ）はリング状電極部Ｄの内径を示す。
式：ρｓ＝π×（Ｄ＋ｄ）／（Ｄ−ｄ）×（Ｖ／Ｉ）
【００５１】
一方、体積抵抗率の測定は、円形電極（例えば、三菱油化（株）製ハイレスターＩＰのＨＲプローブ）を用い、ＪＩＳ Ｋ６９９１に従って測定する。前記体積抵抗率の測定方法を図を用いて説明する。測定は表面抵抗率と同一の装置で測定する。但し、図３に示す円形電極において、表面抵抗率測定時の板状絶縁体Ｂに代えて第二電圧印加電極Ｂ’とを備える。そして、第一電圧印加電極Ａにおける円柱状電極部Ｃ及びリング状電極部Ｄと第二電圧印加電極Ｂ’との間に中間転写バルトＴを挟持し、第一電圧印加電極Ａにおける円柱状電極部Ｃと第二電圧印加電極Ｂとの間に電圧Ｖ（Ｖ）を印可したときに流れる電流Ｉ（Ａ）を測定し、下記式により、測定対象物Ｔの体積抵抗率ρｖ（Ωｃｍ）を算出する。ここで、下記式中、ｔは、測定対象物Ｔの厚さを示す。
式ρｖ＝１９．６×（Ｖ／Ｉ）×ｔ
【００５２】
なお、表面抵抗率及び体積抵抗率は、円形電極（三菱油化（株）製ハイレスターＩＰのＵＲプローブ：円柱状電極Ｃの外径Φ１６ｍｍ、リング状電極部Ｄの内径Φ３０ｍｍ、外径Φ４０ｍｍ）を用い、２２℃／５５％ＲＨ環境下、電圧５００Ｖ、１０秒印加後の電流値を求め算出する。
【００５３】
以下、本実施形態に係る画像形成装置の画像形成動作について説明する。なお、第１プロセスカートリッジ１０Ｙにおいてイエロー画像を形成する動作を代表して、画像形成動作について説明する。
【００５４】
まず、画像形成動作に先立って、帯電ローラ２Ｙによって感光体１Ｙの表面が例えば−６００Ｖ以上−８００Ｖ以下程度の電位に帯電される。
【００５５】
感光体１Ｙは、例えば導電性の基体上に感光層を積層して形成されている。この感光層は、例えば通常は高抵抗であるが、レーザ光線３Ｙが照射されると、レーザ光線が照射された部分の比抵抗が変化する性質を持っている。そこで、帯電した感光体１Ｙの表面に、図示しない制御部から送られてくるイエロー用の画像データに従って、露光装置３を介してレーザ光線３Ｙを出力する。レーザ光線３Ｙは、感光体１Ｙの表面の感光層に照射され、それにより、イエロー印字パターンの静電潜像が感光体１Ｙの表面に形成される。
【００５６】
このようにして感光体１Ｙ上に形成された静電潜像は、感光体１Ｙの走行に従って所定の現像位置まで回転される。そして、この現像位置で、感光体１Ｙ上の静電潜像が、現像装置４Ｙによって可視像（トナー像）化される。
【００５７】
現像装置４Ｙ内には、例えば、少なくともイエロー着色剤とワックスと結着樹脂と脂肪族炭化水素−炭素数９以上の芳香族炭化水素共重合石油樹脂にて形成された体積平均粒径が７μｍのイエロートナーが収容されている。イエロートナーは、現像装置４Ｙの内部で攪拌されることで摩擦帯電し、感光体１Ｙ上に帯電した帯電荷と同極性（負極性）の電荷を有している。感光体１Ｙの表面が現像装置４Ｙを通過していくことにより、感光体１Ｙ表面上の除電された潜像部にのみイエロートナーが静電的に付着し、潜像がイエロートナーによって現像される。イエローのトナー像が形成された感光体１Ｙは、引続き所定速度で走行され、感光体１Ｙ上に現像されたトナー像が所定の１次転写位置へ搬送される。
【００５８】
感光体１Ｙ上のイエロートナー像が１次転写へ搬送されると、１次転写ローラ５Ｙに所定の１次転写バイアスが印加され、感光体１Ｙから１次転写ローラ５Ｙに向う静電気力がトナー像に作用され、感光体１Ｙ上のトナー像が中間転写ベルト２０上に転写される。このとき印加される転写バイアスは、トナーの極性（−）と逆極性の（＋）極性であり、例えば第１プロセスカートリッジ１０Ｙでは制御部に（図示せず）よって＋１０μＡ程度に定電流制御されている。
【００５９】
また、第２プロセスカートリッジ１０Ｍ以降の１次転写ローラ５Ｍ、５Ｃ、５Ｋに印加される１次転写バイアスも同様に制御されている。
【００６０】
こうして、第１プロセスカートリッジ１０Ｙにてイエロートナー像の転写された中間転写ベルト２０は、第２乃至第４プロセスカートリッジ１０Ｍ、１０Ｃ、１０Ｋを通して順次搬送され、各色のトナー像が同様に重ねられて多重転写される。
【００６１】
第１乃至第４プロセスカートリッジを通して全ての色のトナー像が多重転写された中間転写ベルト２０は、中間転写ベルト２０と中間転写ベルト２０内面に接する支持ローラ２４と中間転写ベルト２０の像保持面側に配置された２次転写ローラ（２次転写手段）２６とから構成された２次転写部へと至る。一方、記録媒体Ｐが供給機構を介して２次転写ローラ２６と中間転写ベルト２０との間に所定のタイミングで給紙され、所定の２次転写バイアスが支持ローラ２４に印加される。このとき印加される転写バイアスは、トナーの極性（−）と同極性の（−）極性であり、中間転写ベルト２０から記録媒体Ｐに向う静電気力がトナー像に作用され、中間転写ベルト２０上のトナー像が記録媒体Ｐ上に転写される。尚、この際の２次転写バイアスは２次転写部の抵抗を検出する抵抗検出手段（図示せず）により検出された抵抗に応じて決定されるものであり、定電圧で制御されている。
【００６２】
この後、記録媒体Ｐは定着装置２８へ送り込まれ、矢印方向に回転駆動される加熱ロール３０と、加圧ベルト４０とが圧接し形成された接触領域に挿通される。この際、記録媒体Ｐの未定着のトナー像が形成された面と、加熱ロール３０の表面とが、向き合うように記録媒体Ｐが挿通される。この接触領域を記録媒体Ｐが通過した際に、熱及び圧力が記録媒体Ｐに加えられることにより、未定着のトナー像が、記録媒体Ｐに定着される。定着後の記録媒体は接触領域を通過後、加熱ロール３０から剥離され、定着装置２８から排出される。
【００６３】
このようにして定着処理が成され、記録媒体Ｐ上へ永久定着される。カラー画像の定着が完了した記録媒体Ｐは、排出部へ向けて搬出され、一連のカラー画像形成動作が終了される。
【００６４】
以上説明した本実施形態では、定着装置２８において、加圧ベルト４０（第２回転体）の内周面と押圧パッド５０（押圧部材）との間に、導電性摺動シート６０（摺動部材）を介在させると共に、加圧ベルト４０（第２回転体）の内周面と導電性摺動シート６０（摺動部材）との間に導電性潤滑剤６２を介在させている。このため、加圧ベルト４０（第２回転体）の内周面と押圧パッド５０（押圧部材）との間に介在された導電性摺動シート６０と導電性潤滑剤６２により導電パスが形成される。一方、定着装置２８による定着の際に加圧ベルト４０の回転に伴って、加圧ベルト４０と導電性摺動シート６０とが摺動し、摩擦により加圧ベルト４０が電荷を帯びる（即ち、帯電する）。この加圧ベルト４０に帯びた電荷は、上記導電性摺動シート６０と導電性潤滑剤６２により形成された導電パスを通じて加圧ベルト４０から流れる（逃げる）。このため、本実施形態では、摺動部材との摺動により回転体に発生する帯電が抑制される共に、当該帯電が原因となる画像乱れが抑制される。結果、当該画像乱れが抑制された画像が得られる。
【実施例】
【００６５】
以下に実施例を挙げて本発明を具体的に説明するが、本発明はこれらの実施例に限定されるものではない。
【００６６】
＜実施例１＞
−摺動シート−
耐熱性樹脂としてポリテトラフルオロエチレン（ＰＴＦＥ樹脂）１００重慮部（固形分）に対して、導電粉としてグラファイト４０重量部を添加した溶液を、金型に充填し、圧縮成型し、次いで融点以上の温度で加熱焼成し成型体を得た後、金属刃物によって厚み１００μｍ摺動シートを得た。
−潤滑剤−
潤滑油としてパーフルオロポリエーテルオイル（ＰＦＰＥオイル）１００重量部に対して、導電粉としてグラファイト５０重量部を添加し、攪拌・混合して、潤滑剤を得た。
【００６７】
−評価−
得られた摺動シート及び潤滑剤を、富士ゼロックス社製ＤＣＣ４００にセットし、以下の評価を行った。結果を表２に示す。
【００６８】
・画質評価
画質評価は、紙しわ（画質１）、静電オフセットによる画像抜けの有無（画質２）について、目視にて評価した。
【００６９】
・耐久性
耐久性の評価は、次のようにして行った。普通紙Ａ４に幅１０ｍｍのラインを等間隔で４本構成の画像を印字しつつ、用紙横方向にて走行試験を実施（用いた実機は、ＤＣＣ４００（富士ゼロックス社製））し、画像の変化（濃度ムラなど）、用紙の変化（紙しわなど）ベルトや摺動シートの外観状態（折れ、削れ、破壊など）を確認することで、耐久性の評価とした。
【００７０】
・最大駆動トルク
最大駆動トルクの評価は、耐久性の評価は、次のようにして行った。実機を改造したベンチ機の加熱ロール（Ｈ／Ｒ（ヒートロール））軸にトルクメーターを設置し、ベルトを従動させる為に必要なトルクを測定した。
【００７１】
＜実施例２乃至９、比較例１＞
表１に従って、各成分種やその量を変更した以外は、実施例１と同様に摺動シート及び潤滑剤を作製し、評価を行った。結果を表２に示す。
【００７２】
【表１】
2010078825.tif 000003
【００７３】
【表２】
2010078825.tif 000004
【００７４】
なお、本実施例で使用した材料の詳細は以下の通りである。
−樹脂−
・ポリテトラフルオロエチレン：ＰＴＦＥ樹脂、商品名テフロン（登録商標）７−Ｊ（三井デュポンフロロケミカル社製ＰＴＦＥ樹脂：テフロン（登録商標）モールディングパウダー）
・電子線架橋ポリテトラフルオロエチレン：電子線架橋ＰＴＦＥ樹脂（日立電線社製）
【００７５】
−潤滑油−
・パーフルオロポリエーテルオイル：ＰＦＰＥオイル、商品名：デムナムＳ１００（ダイキン工業社製）
・ジメチルシリコーンオイル（ＫＦ９６：信越シリコーン社製）
【００７６】
−導電粉−
・グラファイト：商品名ＵＰ−１０（日本黒鉛社製）、平均粒径１０μｍ
・酸化亜鉛：商品名パナテトラ（松下アムテック）
・カーボンブラック（デンカブラック：電気化学工業社製）
【００７７】
上記表１の結果から、本実施例は、比較例に比べ、耐久性、最大駆動トルクと共に、画質について優れることがわかる。
【図面の簡単な説明】
【００７８】
【図１】施形態に係る画像形成装置を示す概略構成図である。
【図２】実施形態に係る定着装置を示す概略構成図である。
【図３】。図３は、円形電極の一例を示す概略平面図（Ａ）及び概略断面図（Ｂ）である。
【符号の説明】
【００７９】
１Ｙ、１Ｍ、１Ｃ、１Ｋ  感光体
２Ｙ、２Ｍ、２Ｃ、２Ｋ  帯電ローラ
３Ｙ、３Ｍ、３Ｃ、３Ｋ  レーザ光線
３  露光装置
４Ｙ、４Ｍ、４Ｃ、４Ｋ  現像装置
５Ｙ、５Ｍ、５Ｃ、５Ｋ  １次転写ローラ
６Ｙ、６Ｍ、６Ｃ、６Ｋ  感光体クリーニング装置
１０Ｙ、１０Ｍ、１０Ｃ、１０Ｋ  プロセスカートリッジ
２０  中間転写ベルト
２０ａ  中間転写体クリーニング装置
２２  駆動ローラ
２４  支持ローラ
２６  ２次転写ローラ
２８  定着装置
３０ 加熱ロール
４０ 加圧ベルト
５０ 押圧パッド
５２ ベルト走行ガイド
６０  摺動シート（導電性摺動シート）
６２  潤滑剤（導電性潤滑剤）
６４  潤滑剤供給部材
１００  画像形成装置
Ｐ  記録媒体
【図１】
2010078825.tif 000005
【図２】
2010078825.tif 000006
【図３】
2010078825.tif 000007